(57)【特許請求の範囲】
【請求項１】
表示部と、前記表示部が表示する画面に対する操作を受け付ける受付部と、前記表示部による表示動作を制御する表示制御部と、複数の操作用のアイコン及び背景画像を有する操作画面を予め記憶している記憶部と、を備え、前記表示部の表示面の傾きが変更可能な表示装置において、
前記表示制御部は、（１）前記表示部に、前記記憶部に記憶されている前記操作画面を予め定められた通常の表示形態で表示させるか、または前記操作画面を、前記表示面の傾きを一方向に向けて変更した際にユーザーの視線から遠ざかる前記操作画面上における第一方向に向けて伸長した表示形態で表示させるかを選択する操作を受け付けるための受付画面を表示させ、（２）前記受付部が前記操作画面を通常の表示形態で表示させる操作を受け付けた場合、前記記憶部に記憶されている前記操作画面を読み出し、当該読み出した操作画面を、前記通常の表示形態で表示した操作画面として前記表示部に表示させ、（３）前記受付部が前記操作画面を伸長した表示形態で表示させる操作を受け付けた場合、前記記憶部に記憶されている前記操作画面を読み出し、当該読み出した操作画面全体を前記第一方向に向けて伸長する伸長処理を実行することで、当該操作画面における全ての操作用のアイコン及び背景画像が全体的に前記第一方向に伸長され、前記表示部の表示面よりも前記第一方向に予め定められた大きさに伸長された操作画面が形成され、前記伸長処理の後に、当該伸長後の操作画面全体が前記表示部の表示面に収まるように、前記伸長後の操作画面全体を前記第一方向と前記第一方向に直交する第二方向との比率を維持したまま縮小する画像処理を行うことで、前記伸長後の操作画面における全ての操作用のアイコン及び背景画像が前記比率を維持したまま前記表示面に収まるサイズに縮小され、前記画像処理を行った後に当該画像処理後の操作画面を前記表示部に表示させる、表示装置。
【請求項２】
前記表示部の表示面の傾きを検知する傾き検知部を更に備え、
前記表示制御部は、前記傾き検知部が検知した角度と予め定められた角度との差が大きくなるにつれて、前記操作画面全体を前記第一方向に伸長する長さを長くする、請求項１に記載の表示装置。
【請求項３】
前記表示制御部は、前記受付部が前記操作画面を伸長した表示形態で表示させる操作を受け付けた場合、前記操作画面を前記第一方向に直交する第二方向に向けて伸長し、その伸長する長さを前記第一方向側に近づくにつれて長くし、前記傾き検知部が検知した角度と予め定められた角度との差が大きくなるにつれて、前記操作画面を前記二方向に向けて伸長する長さを長くする、請求項２に記載の表示装置。
【請求項４】
前記表示制御部は、前記操作画面を伸長した表示形態で表示させるときに、前記アイコンの表示濃度を前記通常の表示形態よりも濃くし、前記傾き検知部が検知した角度と予め定められた角度との差が大きくなるにつれて、前記アイコンの表示濃度を濃くする度合いを大きくする、請求項２または請求項３に記載の表示装置。
【請求項５】
前記表示制御部は、前記操作画面を伸長した表示態様で表示させるときに、前記アイコンの周りを前記アイコンを構成する色とは異なる色で縁取り、前記傾き検知部が検知した角度と予め定められた角度との差が大きくなるにつれて、前記アイコンを縁取りする大きさを大きくし、または前記アイコンを縁取りする色を変える、請求項２乃至請求項４の何れか１項に記載の表示装置。
【請求項６】
前記表示制御部は、前記伸長後の操作画面を縮小する画像処理により前記表示部の表示面に生じる空白領域を、前記操作画面の背景部分を構成する色と同じ色で補完した操作画面を前記表示部に表示させる、請求項１乃至請求項５の何れか１項に記載の表示装置。
【請求項７】
コンピューターを、
表示面の傾きが変更可能な表示部による表示動作を制御する表示制御部と、
前記表示部が表示する画面に対する操作を受け付ける受付部として機能させ、
更に、前記表示制御部が、（１）前記表示部に、記憶部に記憶されている操作画面を予め定められた通常の表示形態で表示させるか、または前記操作画面を、前記表示面の傾きを一方向に向けて変更した際にユーザーの視線から遠ざかる前記操作画面上における第一方向に向けて伸長した表示形態で表示させるかを選択する操作を受け付けるための受付画面を表示させ、（２）前記受付部が前記操作画面を通常の表示形態で表示させる操作を受け付けた場合、前記記憶部に記憶されている前記操作画面を読み出し、当該読み出した操作画面を、前記通常の表示形態で表示した操作画面として前記表示部に表示させ、（３）前記受付部が前記操作画面を伸長した表示形態で表示させる操作を受け付けた場合、前記記憶部に記憶されている前記操作画面を読み出し、当該読み出した操作画面全体を前記第一方向に向けて伸長する伸長処理を実行することで、当該操作画面における全ての操作用のアイコン及び背景画像が全体的に前記第一方向に伸長され、前記表示部の表示面よりも前記第一方向に予め定められた大きさに伸長された操作画面が形成され、前記伸長処理の後に、当該伸長後の操作画面全体が前記表示部の表示面に収まるように、前記伸長後の操作画面全体を前記第一方向と前記第一方向に直交する第二方向との比率を維持したまま縮小する画像処理を行うことで、前記伸長後の操作画面における全ての操作用のアイコン及び背景画像が前記比率を維持したまま前記表示面に収まるサイズに縮小され、前記画像処理を行った後に当該画像処理後の操作画面を前記表示部に表示させるようにコンピューターを機能させる表示制御プログラム。
【発明の詳細な説明】
【技術分野】
【０００１】
本発明は、表示装置および表示制御プログラムに関し、特に操作画面を表示する表示面の傾きが変更可能に構成されている表示装置および当該表示装置を制御する表示制御プログラムに関する。
【背景技術】
【０００２】
画像形成装置やスマートフォンなどの情報処理装置は、一般に、表示装置を備えている。表示装置が表示する操作画面には様々な機能に関連付けられた略正方形のアイコンが配置されており、ユーザーは、当該操作画面において所望のアイコンを選択することで、情報処理装置や表示装置に所望の機能を実行させることができる（例えば、下記特許文献１参照）。
【先行技術文献】
【特許文献】
【０００３】
【特許文献１】特開２００９−２９４８５０号公報
【発明の概要】
【発明が解決しようとする課題】
【０００４】
画像形成装置に設けられた表示装置は、その表示面の傾きを変更可能に構成されている場合がある。また、スマートフォンなどの携帯端末は、ユーザーの手で保持された状態で用いられることが一般であり、ユーザーの手の向きなどに応じて表示装置の表示面の傾きが変わる。
【０００５】
しかしながら、表示装置の表示面の傾きが変わることにより、ユーザーが表示面に表示された操作画面を斜め方向から視認する場合が発生する。この場合、ユーザーには操作画面に含まれる文字やアイコン等の画像の縦横比が本来の縦横比から崩れて視認されることになり、操作画面の視認性が低下するという問題がある。
【０００６】
本発明は、上記の事情に鑑みなされたものであり、表示面の傾きが変わることによりユーザーが表示面に表示された操作画面を斜め方向から視認する場合であっても、操作画面の視認性を低下し難くすることを目的とする。
【課題を解決するための手段】
【０００７】
本発明の一局面にかかる表示装置は、表示部と、前記表示部が表示する画面に対する操作を受け付ける受付部と、前記表示部による表示動作を制御する表示制御部と、複数の操作用のアイコン及び背景画像を有する操作画面を予め記憶している記憶部と、を備え、前記表示部の表示面の傾きが変更可能な表示装置において、前記表示制御部は、（１）前記表示部に、前記記憶部に記憶されている前記操作画面を予め定められた通常の表示形態で表示させるか、または前記操作画面を、前記表示面の傾きを一方向に向けて変更した際にユーザーの視線から遠ざかる前記操作画面上における第一方向に向けて伸長した表示形態で表示させるかを選択する操作を受け付けるための受付画面を表示させ、（２）前記受付部が前記操作画面を通常の表示形態で表示させる操作を受け付けた場合、前記記憶部に記憶されている前記操作画面を読み出し、当該読み出した操作画面を、前記通常の表示形態で表示した操作画面として前記表示部に表示させ、（３）前記受付部が前記操作画面を伸長した表示形態で表示させる操作を受け付けた場合、前記記憶部に記憶されている前記操作画面を読み出し、当該読み出した操作画面全体を前記第一方向に向けて伸長する伸長処理を実行することで、当該操作画面における全ての操作用のアイコン及び背景画像が全体的に前記第一方向に伸長され、前記表示部の表示面よりも前記第一方向に予め定められた大きさに伸長された操作画面が形成され、前記伸長処理の後に、当該伸長後の操作画面全体が前記表示部の表示面に収まるように、前記伸長後の操作画面全体を前記第一方向と前記第一方向に直交する第二方向との比率を維持したまま縮小する画像処理を行うことで、前記伸長後の操作画面における全ての操作用のアイコン及び背景画像が前記比率を維持したまま前記表示面に収まるサイズに縮小され、前記画像処理を行った後に当該画像処理後の操作画面を前記表示部に表示させる、表示装置である。
【０００８】
本発明の別の一局面にかかる表示制御プログラムは、コンピューターを、表示面の傾きが変更可能な表示部による表示動作を制御する表示制御部と、前記表示部が表示する画面に対する操作を受け付ける受付部として機能させ、更に、前記表示制御部が、（１）前記表示部に、記憶部に記憶されている操作画面を予め定められた通常の表示形態で表示させるか、または前記操作画面を、前記表示面の傾きを一方向に向けて変更した際にユーザーの視線から遠ざかる前記操作画面上における第一方向に向けて伸長した表示形態で表示させるかを選択する操作を受け付けるための受付画面を表示させ、（２）前記受付部が前記操作画面を通常の表示形態で表示させる操作を受け付けた場合、前記記憶部に記憶されている前記操作画面を読み出し、当該読み出した操作画面を、前記通常の表示形態で表示した操作画面として前記表示部に表示させ、（３）前記受付部が前記操作画面を伸長した表示形態で表示させる操作を受け付けた場合、前記記憶部に記憶されている前記操作画面を読み出し、当該読み出した操作画面全体を前記第一方向に向けて伸長する伸長処理を実行することで、当該操作画面における全ての操作用のアイコン及び背景画像が全体的に前記第一方向に伸長され、前記表示部の表示面よりも前記第一方向に予め定められた大きさに伸長された操作画面が形成され、前記伸長処理の後に、当該伸長後の操作画面全体が前記表示部の表示面に収まるように、前記伸長後の操作画面全体を前記第一方向と前記第一方向に直交する第二方向との比率を維持したまま縮小する画像処理を行うことで、前記伸長後の操作画面における全ての操作用のアイコン及び背景画像が前記比率を維持したまま前記表示面に収まるサイズに縮小され、前記画像処理を行った後に当該画像処理後の操作画面を前記表示部に表示させるようにコンピューターを機能させる表示制御プログラムである。
【発明の効果】
【０００９】
本発明によれば、表示面の傾きが変わることによりユーザーが表示面に表示された操作画面を斜め方向から視認する場合であっても、操作画面の視認性を低下し難くすることができる。
【図面の簡単な説明】
【００１０】
【図１】本発明の実施形態１にかかる表示装置を備える画像形成装置の外観を示す斜視図である。
【図２】本発明の実施形態１にかかる表示装置を備える画像形成装置の内部構成を示すブロック図である。
【図３】本発明の実施形態１にかかる表示装置の表示部の表示面に表示される操作画面の一例を示す図である。
【図４】表示面の傾きおよび表示面とユーザーの視線とがなす角度の関係を示す図である。
【図５】（Ａ）は、本発明の実施形態１にかかる表示装置の表示部の表示面を正面から視認した様子を示す図であり、（Ｂ）は、本発明の実施形態１にかかる表示装置の表示部の表示面を斜めから視認した様子を示す図である。
【図６】本発明の実施形態１にかかる表示装置の表示部に表示される受付画面の一例を示す図である。
【図７】本発明の実施形態１にかかる表示装置の表示部の表示面に表示される伸長後のアイコンを含む操作画面の一例を示す図である。
【図８】本発明の実施形態１にかかる表示装置の表示部の表示面に表示される伸長後のアイコンを含む操作画面を斜めから視認した様子を示す図である。
【図９】本発明の実施形態１にかかる表示装置の動作の流れを示すフローチャートである。
【図１０】本発明の実施形態１の補足１にかかる表示装置において表示部に表示される操作画面の一例を示す図である。
【図１１】本発明の実施形態１の補足４にかかる表示装置において記憶部に記憶されるデータの一例を示す図である。
【図１２】本発明の実施形態２にかかる表示装置の動作の流れを示すフローチャートである。
【図１３】ユーザーの目と表示面との間の距離を示す図である。
【図１４】本発明の実施形態１にかかる表示装置において、アイコンを伸長した操作画面を斜めから視認した様子を示す図である。
【図１５】本発明の実施形態３にかかる表示装置の表示部に表示される操作画面の一例を示す図である。
【図１６】本発明の実施形態４にかかる表示装置の表示制御部が操作画面に対して行う画像処理の内容を示す図である。
【図１７】本発明の実施形態４にかかる表示装置の表示部に表示される操作画面の一例を示す図である。
【図１８】本発明の実施形態４にかかる表示装置の動作の流れを示すフローチャートである。
【図１９】本発明の実施形態４の補足２にかかる表示装置において、表示部に表示される操作画面の一例を示す図である。
【図２０】本発明の実施形態５にかかる表示装置の動作の流れを示すフローチャートである。
【図２１】本発明の実施形態５にかかる表示装置の記憶部に記憶される優先度を示す図である。
【図２２】本発明の実施形態５にかかる表示装置の表示制御部が操作画面に対して行う画像処理の内容を示す図である。
【図２３】本発明の実施形態５の補足１にかかる表示装置の表示制御部が操作画面に対して行う画像処理の内容を示す図である。
【発明を実施するための形態】
【００１１】
以下、本発明の一実施形態にかかる表示装置について図面を参照して説明する。
【００１２】
＜実施形態１＞
図１は、本発明の実施形態１にかかる表示装置を備える画像形成装置の外観を示す斜視図である。図２は、本発明の実施形態１にかかる表示装置を備える画像形成装置の内部構成を示すブロック図である。
【００１３】
画像形成装置１は、ファクシミリ通信機能、コピー機能、プリンター機能、およびスキャナー機能などの複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１４】
画像読取部１０は、原稿搬送部１１と、原稿搬送部１１により搬送されてくる原稿または不図示のコンタクトガラスに載置された原稿を光学的に読み取るスキャナーとを有するＡＤＦ（Auto Document Feeder）である。
【００１５】
装置本体２の内部には、画像形成部２０、給紙部３０、記憶部４０、および通信部５０などが収容されている。
【００１６】
画像形成部２０は、印刷対象の画像データを読み出し、当該データを用いて給紙部３０から供給される用紙に画像を形成（印刷）する。印刷済みの用紙は、排出トレイ４に排出される。
【００１７】
記憶部４０は、ＨＤＤ（Hard Disk Drive）などの大容量の記憶装置である。
【００１８】
通信部５０は、不図示のＬＡＮチップなどの通信モジュールを備える通信インターフェイスである。画像形成装置１は、ネットワークを介して他のＰＣ（Personal Computer）などと接続されており、通信部５０により接続されたＰＣなどとの間でデータの送受信を行う。
【００１９】
装置本体２の前面側には、表示部６０が配置されている。表示部６０は、液晶ディスプレイ（ＬＣＤ：Liquid Crystal Display）や有機ＥＬ（ＯＬＥＤ：Organic Light-Emitting Diode）ディスプレイを含んで構成される。
【００２０】
表示部６０には、タッチパネル部６１が設けられている。タッチパネル部６１は、表示部６０の表示面６４上におけるユーザーによる接触を接触位置（座標位置）とともに検知する。タッチパネル部６１は、ユーザーによる接触を検知すると、当該接触位置を示す検知信号を後述する受付部１０２などに出力する。このように、タッチパネル部６１は、ユーザー操作が入力される操作入力部としての役割を果たす。
【００２１】
また、表示部６０は、上記のタッチパネル部６１に加えて、またはタッチパネル部６１に換えて、物理キーを備えてもよい。当該物理キーには、例えば、矢印キー、Page Upキー、Page Downキーなどがある。
【００２２】
図３は、表示部６０の表示面６４に表示される操作画面の一例を示す図である。本図に示す例では、操作画面Ｄ１は、複数のアイコンａ１〜ａ８が背景画面ｂ１上に配置されてなる。アイコンａ１〜ａ８はそれぞれ、縦の長さＬ１と横の長さＬ２とが等しい略正方形の形状とされている。また、アイコンａ１〜ａ８はそれぞれ、画像形成装置１が備える各機能に関連付けられており、関連付けられた機能を示す画像が描かれている。例えばアイコンａ１には、コピー機能に関連付けられている。ユーザーによりタッチパネル機能を用いてアイコンａ１の選択操作が入力され、受付部１０２がアイコンａ１の選択操作を受け付けた場合に、後述する制御部１０１による制御のもと画像形成装置１はコピー動作を行う。このようにユーザーは、操作画面Ｄ１において所望のアイコンを選択することで、画像形成装置１に所望の機能を実行させることができる。
【００２３】
表示部６０は、更に、回動機構６２および傾き検知部６５を備えている。回動機構６２は、制御部１０１による制御のもと不図示のモーターによる駆動により、回動軸６３を中心として表示部６０を図１の矢印方向に回動させる。また、モーターによる駆動でなくとも、ユーザーによる手動操作により、表示部６０は回動軸６３を中心として回動可能に構成されている。表示部６０が回動することで、表示面６４の傾きが変化する。
【００２４】
傾き検知部６５は、表示面６４の傾きを検知するセンサーであって、検知した傾きを示す検知信号を後述する表示制御部１０３などに出力する。
【００２５】
画像形成装置１は、更に制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部４０に記憶された表示制御プログラムなどの制御プログラムが上記のＣＰＵに実行されることにより、制御部１０１、受付部１０２、および表示制御部１０３として機能する。なお、制御ユニット１００の上記の各構成は、前述の制御プログラムに基づく動作によらず、それぞれハード回路により構成されてもよい。
【００２６】
制御部１０１は、画像形成装置１の全体的な動作制御を司る。制御部１０１は、画像読取部１０、画像形成部２０、給紙部３０、記憶部４０、通信部５０、および表示部６０などと接続されており、接続されている上記各機構の動作制御や、各機構との間での信号またはデータの送受信を行う。
【００２７】
受付部１０２は、表示部６０が表示した操作画面Ｄ１などに対して、タッチパネル機能を用いて入力されたユーザー操作を受け付ける機能を有する。
【００２８】
表示制御部１０３は、表示部６０による表示動作を制御する機能を有する。
【００２９】
本発明の一実施形態にかかる表示装置は、以上で説明した画像形成装置１の構成のうち、記憶部４０、表示部６０、および制御ユニット１００などを備えて構成される。
【００３０】
続いて、表示面６４が傾いた場合に表示面６４に表示される操作画面Ｄ１がユーザーにどのように見えるのかについて説明する。
【００３１】
図４は、表示面６４の傾き、および当該表示面６４とユーザーの視線とがなす角度の関係を示す図である。図４に示す例では、表示面６４が水平線に対して角度θ1だけ傾き、表示面６４とユーザーの視線とが交わる角度が角度θ2となった状態を示している。表示面６４とユーザーの視線とが交わる角度θ2は、表示面６４が傾いた角度θ1、画像形成装置１とユーザーとの距離Ｒ、ユーザーの目の高さＨ1、画像形成装置１の高さＨ2などにより定まる。
【００３２】
角度θ2が９０度である場合、ユーザーは、表示面６４に表示された操作画面Ｄ１を正面から視認することになる。この場合ユーザーには、図５（Ａ）に示すような表示部６０および操作画面Ｄ１が視認される。図５（Ａ）に示すように、ユーザーが操作画面Ｄ１を正面から視認した場合、アイコンａ１〜ａ８は、見かけ上の形状が略正方形となり、本来の形状である略正方形が維持されている。例えば、アイコンａ１の見かけ上の縦の長さはＬ３となり、見かけ上の横の長さはＬ４となり、縦の長さＬ３と横の長さＬ４とが等しくなっている（Ｌ３＝Ｌ４）。
【００３３】
一方、角度θ2が９０度より小さい場合、ユーザーは、表示面６４に表示された操作画面Ｄ１を斜めから視認することになる。この場合ユーザーには、図５（Ｂ）に示すような表示部６０および操作画面Ｄ１が視認される。表示面６４が紙面上方向に向けて傾くため、本図に示すようにアイコンａ１〜ａ８のそれぞれが紙面上方向に向けて収縮したようにユーザーに視認される。その結果、アイコンａ１〜ａ８は、見かけ上の形状が縦の長さが横の長さより短い略長方形となる。すなわち、アイコンａ１〜ａ８の見かけ上の形状が、本来の形状である略正方形の形状から崩れたものになる。例えば、アイコンａ１の見かけ上の縦の長さはＬ５となり、見かけ上の縦の長さはＬ６となり、縦の長さＬ５が横の長さＬ６よりも短くなっている（Ｌ５＜Ｌ６）。このように、アイコンａ１〜ａ８の見かけ上の形状が本来の形状である略正方形の形状から崩れることにより、アイコンａ１〜ａ８の視認性が低下する。
【００３４】
この問題を解消するために、表示制御部１０３は、アイコンａ１〜ａ８のそれぞれを、第一方向（紙面上方向）に向けて伸長した表示形態で表示部６０に表示させる。第一方向とは、表示面６４の傾きを一方向に向けて変更した際にユーザーの視線から遠ざかる操作画面上における方向である。
【００３５】
ここで表示制御部１０３は、アイコンａ１〜ａ８を表示する表示モードとして、通常表示モードと補正表示モードとの２つの表示モードを備えている。通常表示モードとは、操作画面Ｄ１に含まれるアイコンａ１〜ａ８を通常の表示形態で表示部６０に表示させる表示モードである。通常の表示形態とは、アイコンａ１〜ａ８を示す画像として予め記憶部４０に記憶されるものをそのまま表示部６０に表示させる表示形態である。本実施形態の場合、記憶部４０には、縦の長さと横の長さとが等しい略正方形状のアイコンａ１〜ａ８が記憶されている。
【００３６】
一方、補正表示モードとは、記憶部４０に記憶されているアイコンａ１〜ａ８を紙面上方向に向けて伸長し、当該伸長後のアイコンを表示部６０に表示させる表示モードである。表示制御部１０３が何れの表示モードでアイコンを表示部６０に表示させるかは、表示部６０に表示される予め定められた受付画面に対して入力されるユーザー操作に応じて選択的に決定される。
【００３７】
図６は、表示部６０に表示される受付画面の一例を示す図である。本図に示す例では、受付画面Ｄ２は、背景画面ｂ２に２つのボタンｃ１、ｃ２が配置されている。ボタンｃ１は、通常表示モードでアイコンを表示部６０に表示させるべき旨の指示と関連付けられており、ボタンｃ２は、補正表示モードでアイコンを表示部６０に表示させるべき旨の指示と関連付けられている。受付部１０２がボタンｃ１の選択操作を受け付けた場合、表示制御部１０３は、通常表示モードで表示制御動作を行う。一方、受付部１０２がボタンｃ２の選択操作を受け付けた場合、表示制御部１０３は、補正表示モードで表示制御動作を行う。
【００３８】
表示制御部１０３が通常表示モードで表示制御動作を行う場合、既に示した図３のような操作画面Ｄ１が表示部６０に表示される。そして、操作画面Ｄ１を斜めから視認した場合には、図５（Ｂ）に示すような操作画面Ｄ１がユーザーに視認される。
【００３９】
一方、表示制御部１０３が補正表示モードで表示制御動作を行う場合、図７に示すような操作画面が表示部６０に表示される。ここで表示部６０に表示される操作画面Ｄ３は、アイコンａ１〜ａ８のそれぞれが紙面上方向に向けて伸長してなるアイコンａ１１〜ａ１８が背景画面ｂ１上に配置されてなる。略正方形のアイコンａ１〜ａ８のそれぞれが紙面上方向に向けて伸長された結果、アイコンａ１１〜ａ１８は、縦の長さが横の長さよりも長い略長方形となっている。例えば、アイコンａ１１は、縦の長さがＬ７となり（Ｌ７＞Ｌ１）、横の長さがＬ８となり（Ｌ８＝Ｌ２）、縦の長さＬ７が横の長さＬ８よりも長くなっている（Ｌ７＞Ｌ８）。
【００４０】
このような操作画面Ｄ３を斜めから視認した場合、図８に示すような操作画面Ｄ３がユーザーに視認される。表示面６４が紙面上方向に向けて傾くため、アイコンａ１１〜ａ１８のそれぞれが紙面上方向に向けて収縮したようにユーザーに視認される。その結果、アイコンａ１１〜ａ１８は、見かけ上の縦の長さが短くなる。例えば、アイコンａ１１の見かけ上の縦の長さはＬ９となり、見かけ上の縦の長さはＬ１０となる。
【００４１】
図５（Ｂ）に示した場合と図８に示した場合とにおいて操作画面を視認する角度が同じとき、アイコンａ１の見かけ上の縦の長さＬ５と横の長さＬ６との比（縦横比）と、アイコンａ１１の見かけ上の縦の長さＬ９と横の長さＬ１０との比（縦横比）とを比較すると、アイコンａ１１の見かけ上の縦横比の方が「１」に近い値となる。すなわち、アイコンａ１１の見かけ上の形状は、アイコンａ１の見かけ上の形状よりも略正方形の形状に近い形状となる。
【００４２】
このように、上記のアイコンａ１１〜ａ１８の見かけ上の形状は、略正方形の形状ではないものの、アイコンａ１〜ａ８の見かけ上の形状よりも、本来の形状である略正方形の形状に近い形状となる。このため、表示面６４の傾きが変わることによりユーザーが表示面６４に表示された操作画面を斜め方向から視認する場合であっても、操作画面に配置されたアイコンの視認性が低下し難くすることができる。
【００４３】
図９は、実施形態１にかかる表示装置の動作の流れを示す図である。本図に示すように、受付部１０２が受付画面を表示させる操作を受け付けた場合（ステップＳ１０においてＹＥＳ）、表示制御部１０３は、表示部６０に図６に示す受付画面Ｄ２を表示させる（ステップＳ１１）。
【００４４】
そして、受付部１０２が受付画面Ｄ２において通常表示モードを選択する操作を受け付けた場合（ステップＳ１２おいて「通常表示モード」）、表示制御部１０３の表示モードが通常表示モードとなる。
【００４５】
通常表示モードでは、表示制御部１０３は、記憶部４０に記憶されたアイコンを読み出し（ステップＳ１３）、読み出したアイコンを含む図３に示す操作画面Ｄ１を表示部６０に表示させる（ステップＳ１４）。
【００４６】
一方、受付部１０２が受付画面Ｄ２において補正表示モードを選択する操作を受け付けた場合（ステップＳ１２において「補正表示モード」）、表示制御部１０３の表示モードが補正表示モードとなる。
【００４７】
補正表示モードでは、表示制御部１０３は、記憶部４０に記憶されたアイコンを読み出し（ステップＳ１５）、読み出したアイコンを上方向に伸長する処理を行う（ステップＳ１６）。そして、表示制御部１０３は、ステップＳ１６の処理で生成した伸長後のアイコンを含む図７に示す操作画面Ｄ３を表示部６０に表示させる（ステップＳ１７）。
【００４８】
以上のように、実施形態１にかかる表示装置によれば、ユーザーが予め操作画面を斜めから視認する場合が多いことが想定されるときには、図６に示す受付画面Ｄ２においてボタンｃ２を選択することにより、斜めから視認されることを想定したアイコン表示を行わせることができ、アイコンの視認性の低下を抑えることができる。一方、ユーザーが予め操作画面を斜めから視認する場合が少ないことが想定されるときには、図６に示す受付画面Ｄ２においてボタンｃ１を選択することにより、斜めから視認されることを想定したアイコン表示ではなく通常のアイコン表示を行わせることができ、アイコンを高い視認性で視認することができる。
【００４９】
＜補足１＞
表示制御部１０３は、アイコンａ１〜ａ８のそれぞれを紙面上方向に向けて伸長することに加えて、伸長後のアイコンａ１１〜ａ１８の周りをアイコンａ１１〜ａ１８を構成する色とは異なる色（例えば白色）で縁取ってもよい。
【００５０】
図１０は、補足１にかかる表示装置において表示部６０に表示される操作画面の一例を示す図である。本図に示す例では、操作画面Ｄ４は、伸長後のアイコンａ１１〜ａ１８のそれぞれに対してその周りを縁取って構成されたアイコンａ２１〜ａ２８が背景画面ｂ１上に配置されている。
【００５１】
上記のように行うことで、アイコンの視認性を高めることができ、操作画面を斜め方向から視認することによるアイコンの視認性の低下をより抑えることができる。
【００５２】
＜補足２＞
表示制御部１０３は、アイコンａ１〜ａ８のそれぞれを紙面上方向に向けて伸長することに加えて、伸長後のアイコンａ１１〜ａ１８の表示濃度を通常の表示形態よりも濃くしてもよい。すなわち、表示制御部１０３は、記憶部４０から読み出したアイコンの表示濃度を濃くする処理を行う。
【００５３】
上記のようにすることで、アイコンの視認性を高めることができ、操作画面を斜め方向から視認することによるアイコンの視認性の低下をより抑えることができる。
【００５４】
＜補足３＞
図３に示すように、操作画面Ｄ１に配置されているアイコンａ１〜ａ８は、それぞれ、アイコンが関連付けられた機能を示す画像であるアイコン本体部分、および背景部分から構成されている。表示制御部１０３は、このアイコン本体部分および背景部分を伸長することで、図７に示す伸長後のアイコンａ１１〜ａ１８を生成している。上記の実施の形態では、表示制御部１０３は、アイコン本体部分および背景部分を同じ比率で伸長して、伸長後のアイコンを生成する。これに対して、補足３にかかる表示制御部１０３では、アイコン本体部分を伸長する比率を背景部分を伸長する比率よりも大きくして、アイコン本体部分および背景部分を伸長し、伸長後のアイコンを生成する。
【００５５】
上記のように生成された伸長後のアイコンは、紙面上方向における余白部分の長さが、上記の実施形態で生成される伸長後のアイコンと比較して小さくなる。このように、補足３にかかる表示制御部１０３によれば、アイコン全体を大きく伸長させなくとも、ユーザーが着目するアイコン本体部分だけを大きく伸長することができる。すなわち、アイコン全体の形状を大きく伸長させなくとも、ユーザーが着目するアイコン本体部分を斜めから視認した場合の見かけ上の形状を本来の形状に近づけることができる。
【００５６】
＜補足４＞
図１１は、記憶部４０に記憶されるアイコンに関するデータの一例を示す図である。本図に示すように、記憶部４０には、アイコン毎に、アイコン本体部分を示す画像、および背景部分を示す画像が記憶されている。また、アイコン本体部分を示す画像として、本画像（第１の画像）および簡易版の画像（第２の画像）が記憶部４０に記憶されている。ここで簡易版の画像とは、図１１に示すように、本画像の一部を省略することでアイコン本体部分の視認性を高めた画像である。
【００５７】
補足４にかかる表示制御部１０３は、アイコンを通常の表示形態で表示させる操作を受付部１０２が受け付けた場合、記憶部４０からアイコン本体部分を示す画像として本画像を読み出す。そして、表示制御部１０３は、当該読み出した本画像が示されたアイコンを含む操作画面を表示部６０に表示させる。一方、アイコンを伸長した表示形態で表示させる操作を受付部１０２が受け付けた場合、表示制御部１０３は、記憶部４０からアイコン本体部分を示す画像として簡易版の画像を読み出す。そして、表示制御部１０３は、当該読み出した簡易版の画像が示されたアイコンを紙面上方向に向けて伸長し、伸長後のアイコンを含む操作画面を表示部６０に表示させる。
【００５８】
上記のようにアイコンを伸長する場合に、アイコンの本体部分を示す画像として本画像を用いるのではなく、画像の一部を省略することで視認性を高めた簡易版の画像を用いることで、操作画面を斜め方向から視認することによるアイコンの視認性の低下をより抑えることができる。
【００５９】
＜実施形態２＞
実施形態２にかかる表示装置は、表示制御部１０３が、傾き検知部６５が検知した表示面６４の傾きに応じて操作画面に含まれるアイコンを伸長する長さを変える点において、実施形態１にかかる表示装置と異なる。
【００６０】
図１２は、実施形態２にかかる表示装置の動作の流れを示すフローチャートである。なお、図９のフローチャートで示した処理と同内容の処理については同符号を付して説明を略する。
【００６１】
実施形態２にかかる表示装置では、補正表示モードにおいて、表示制御部１０３が、傾き検知部６５が出力する検知信号から表示面６４の傾きを取得する（ステップＳ２０）。
【００６２】
そして、表示制御部１０３は、記憶部４０に記憶されている傾き情報を記憶部４０から読み出す（ステップＳ２１）。ここで傾き情報とは、画像形成装置１や表示装置の標準的な使用態様でユーザーの視線が表示部６０の表示面６４と直交することになる表示面６４の傾きを示す情報である。
【００６３】
ステップＳ２１の処理後、表示制御部１０３は、操作画面に含まれるアイコンを伸長する長さを決定する（ステップＳ２２）。具体的には、表示制御部１０３は、ステップＳ２１の処理で読み出した傾き情報に示される傾きとステップＳ２０の処理で取得した表示面６４の傾きとの差が大きくなるにつれて、すなわち、表示面６４の傾きが傾き情報に示される傾きから離れるにつれて、アイコンを伸長する長さを長くする。
【００６４】
そして、表示制御部１０３は、記憶部４０に記憶されたアイコンを読み出し（ステップＳ１５）、読み出したアイコンをステップＳ２２の処理で決定した長さだけ伸長する処理を行う（ステップＳ２３）。
【００６５】
このように実施形態１にかかる表示装置では、ユーザーが操作画面を視認する角度に応じて操作画面に含まれるアイコンを伸長する長さを変えるため、操作画面を斜め方向から視認することによるアイコンの視認性の低下をより抑えることができる。
【００６６】
＜補足１＞
実施形態１の補足１では、表示制御部１０３が、アイコンａ１〜ａ８のそれぞれを紙面上方向に向けて伸長することに加えて、伸長後のアイコンａ１１〜ａ１８の周りをアイコンａ１１〜ａ１８を構成する色とは異なる色（例えば白色）で縁取る場合を説明した。
【００６７】
これに対して実施形態２の補足２では、表示制御部１０３が、傾き検知部６５が検知した表示面６４の傾きに応じて、アイコンを縁取りする大きさ、および／またはアイコンを縁取りする色を変える。具体的には、表示制御部１０３は、表示面６４の傾きが傾き情報に示される傾きから離れるにつれて、アイコンを縁取りする大きさを大きくする。また、表示制御部１０３は、表示面６４の傾きが傾き情報に示される傾きから離れるにつれて、アイコンを縁取りする色をよりユーザーの目につきやすい色（例えば赤色など）に変える。
【００６８】
＜補足２＞
実施形態１の補足２では、表示制御部１０３が、アイコンａ１〜ａ８のそれぞれを紙面上方向に向けて伸長することに加えて、伸長後のアイコンａ１１〜ａ１８の表示濃度を通常の表示形態よりも濃くする場合を説明した。
【００６９】
これに対して実施形態２の補足２では、表示制御部１０３が、傾き検知部６５が検知した表示面６４の傾きに応じて、アイコンの表示濃度を濃くする度合いを変えてもよい。具体的には、表示制御部１０３は、表示面６４の傾きが傾き情報に示される傾きから離れるにつれて、アイコンの表示濃度を濃くする度合いを大きくする。
【００７０】
＜実施形態３＞
実施形態３にかかる表示装置では、表示制御部１０３が、第一方向だけでなく、当該第一方向に直交する第二方向に向けて、操作画面に含まれるアイコンを伸長する。また、表示制御部１０３は、第二方向に向けて伸長する長さを第一方向側に近づくにつれて長くする。
【００７１】
図１３は、ユーザーの目と表示面６４との間の距離を示す図である。本図に示すように、ユーザーの目と表示面６４との間の距離は、表示面６４の位置によって異なる。例えば、表示面６４の上部の位置Ｐ2とユーザーの目との距離Ｓ2は、表示面６４の下部の位置Ｐ1とユーザーの目との距離Ｓ1よりも長くなる。図１３に示すようにユーザーが表示面６４を斜めから視認した場合、上記の距離Ｓ2と距離Ｓ1との差は、表示面６４を正面から視認した場合に比べて大きくなる。すなわち、表示面６４を斜めから視認した場合、表示面６４の位置による上記の距離の異なりが大きくなる。
【００７２】
図１４は、実施形態１にかかる表示装置において、アイコンを伸長した操作画面を斜めから視認した様子を示す図である。ユーザーの目と表示面６４との間の距離が長くなると、操作画面に含まれるアイコンが小さく視認される。
【００７３】
ここで、アイコンａ１１の見かけ上の上辺の長さＬ１１は、アイコンａ１１の見かけ上の下辺の長さＬ１２よりも短くなる。アイコンａ１１の上辺とユーザーの目との距離が、アイコンａ１１の下辺とユーザーの目との距離よりも長くなるからである。その結果、アイコンａ１１は、見かけ上の形状が台形となる。他のアイコンａ１２〜ａ１８も同様に、見かけ上の形状が台形となる。このように、操作画面Ｄ３に配置されたアイコンａ１１〜ａ１８が、本来の形状である略正方形とは異なる形状となるため、アイコンａ１１〜ａ１８の視認性が低下する。
【００７４】
この問題を解消するために、実施形態３にかかる表示装置では、表示制御部１０３が、アイコンａ１〜ａ８のそれぞれを、第一方向（紙面上方向）だけでなく、当該第一方向に直交する第二方向（紙面左右方向）に向けて伸長する。また、表示制御部１０３は、第二方向に向けてアイコンを伸長する長さを第一方向側（紙面上方向側）に近づくにつれて長くする。図１５は、表示制御部１０３が表示部６０に表示させる操作画面の一例を示す図である。本図に示す例では、操作画面Ｄ５には、紙面上方向に向けて伸長した図７等に示した伸長後のアイコンａ１１〜ａ１８について、更に紙面左右方向に向けて伸長した伸長後のアイコンａ３１〜ａ３８が背景画面ｂ１上に配置されている。
【００７５】
縦の長さが横の長さよりも長い略長方形のアイコンａ１１〜ａ１８のそれぞれが紙面左右方向に向けて伸長された結果、アイコンａ３１〜ａ３８は、上辺が下辺より長い逆台形状となっている。例えば、アイコンａ３１は、上辺の長さがＬ１３となり、下辺の長さがＬ１４となり、上辺の長さＬ１３が下辺の長さＬ１４よりも長くなっている（Ｌ１３＞Ｌ１４）。
【００７６】
上記のようにアイコンを伸長することにより、ユーザーが操作画面を斜めから視認した場合であっても、操作画面に含まれるアイコンの見かけ上の形状を本来の形状（略正方形状）に近いものにすることができる。
【００７７】
＜補足＞
表示制御部１０３は、傾き検知部６５が検知した傾きに応じて、アイコンを紙面左右方向に向けて伸長する長さを変えてもよい。具体的には、表示制御部１０３は、表示面６４の傾きが傾き情報に示される傾きから離れるにつれて、アイコンを紙面左右方向に向けて伸長する長さを長くする。
【００７８】
このように実施形態３の補足にかかる表示装置では、ユーザーが操作画面を視認する角度に応じて操作画面に含まれるアイコンを紙面左右方向に向けて伸長する長さを変えるため、操作画面を斜め方向から視認することによりアイコンの見かけ上の形状が本来の形状である略正方形状から台形状形へ変形し難くすることができる。
【００７９】
＜実施形態４＞
実施形態１〜実施形態３にかかる表示装置では、操作画面に含まれるアイコンを変形（伸長）することで、ユーザーが操作画面を斜め方向から視認した場合にアイコンの視認性が低下することを抑制した。これに対して実施形態４にかかる表示装置では、操作画面全体を変形することで、ユーザーが操作画面を斜め方向から視認した場合に操作画面の視認性が低下することを抑制する。
【００８０】
図１６は、実施形態４にかかる表示装置において、表示制御部１０３が操作画面に対して行う画像処理の内容を示す図である。本図に示すように、表示制御部１０３は、操作画面Ｄ１を第一方向（紙面上方向）に向けて伸長する。これにより、横の長さがＬ１５であり縦の長さがＬ１６である操作画面Ｄ１が、横の長さがＬ１５であり縦の長さがＬ１７（Ｌ１７＞Ｌ１６）である操作画面Ｄ６になる。またこの操作画面の伸長にともない、略正方形のアイコンａ１〜ａ８のそれぞれが略長方形のアイコンａ４１〜ａ４８に伸長され、背景画面ｂ１が背景画面ｂ２に伸長される。
【００８１】
上記の操作画面の伸長により、伸長後の操作画面Ｄ６が表示部６０の表示面６４に収まらなくなる。このため、表示制御部１０３は、伸長後の操作画面Ｄ６が表示部６０の表示面６４に収まるように、操作画面Ｄ６に対して縦横比を維持したまま縮小する画像処理を行う（図１６参照）。これにより、横の長さがＬ１５であり縦の長さがＬ１７である操作画面Ｄ６が、横の長さがＬ１８（Ｌ１８＜Ｌ１５）であり縦の長さがＬ１６である操作画面Ｄ７になる。またこの操作画面の縮小にともない、アイコンａ４１〜ａ４８のそれぞれがアイコンａ５１〜ａ５８に縮小され、背景画面ｂ２が背景画面ｂ３に縮小される。表示制御部１０３は、操作画面に上記の画像処理を施した後、図１７に示すように画像処理後の操作画面を表示部６０に表示させる。
【００８２】
図１８は、実施形態４にかかる表示装置の動作の流れを示すフローチャートである。なお、図９のフローチャートで示した処理と同内容の処理については同符号を付して説明を略する。
【００８３】
実施形態４にかかる表示装置では、通常表示モードにおいて、表示制御部１０３が記憶部４０に記憶されている操作画面を読み出し（ステップＳ３０）、読み出した操作画面を表示部６０に表示させる（ステップＳ３１）。
【００８４】
また、表示制御部１０３は、補正表示モードにおいて、記憶部４０に記憶されている操作画面を読み出し（ステップＳ３２）、読み出した操作画面を上方向に伸長する処理（ステップＳ３３）および伸長後の操作画面を縮小する画像処理（ステップＳ３４）を実行する。その後、表示制御部１０３は、画像処理後の操作画面を表示部６０に表示させる（ステップＳ３５）。
【００８５】
ここでユーザーが操作画面を斜めから視認した場合、操作画面に含まれるアイコンだけでなく、操作画面に含まれる文字やその他の画像等の縦横比が本来の画像の縦横比から崩れ、操作画面の視認性が低下する。この点、実施形態４にかかる表示装置によれば、操作画面全体を上記のように伸長することで、ユーザーが操作画面を斜め方向から視認した場合であっても、操作画面に含まれる文字やその他の画像等の見かけ上の縦横比が本来の画像の縦横比に近いものとなる。このため、ユーザーが操作画面を斜め方向から視認することにより操作画面の視認性が低下することを抑制することができる。
【００８６】
なお、図１７に示すように、表示部６０が伸長後の操作画面Ｄ７を表示した場合、表示面６４の左右方向の両端部には操作画面Ｄ７が表示されない空白領域e１およびｅ２が発生する。表示制御部１０３は、当該空白領域ｅ１およびｅ２を操作画面Ｄ７の背景画面ｂ３を構成する色と同じ色で補完する。こうすることで、操作画面を変形したことにより生じる空白領域を目立ちにくくすることができる。
【００８７】
＜補足１＞
表示制御部１０３は、傾き検知部６５が検知した傾きに応じて、操作画面を紙面上方向に向けて伸長する長さを変えてもよい。具体的には、表示制御部１０３は、表示面６４の傾きが傾き情報に示される傾きから離れるにつれて、操作画面を紙面上方向に向けて伸長する長さを長くする。こうすることで、操作画面を斜め方向から視認することによるアイコンの視認性の低下をより抑えることができる。
【００８８】
＜補足２＞
実施形態４の補足２にかかる表示装置では、表示制御部１０３が、第一方向（上方向）だけでなく、当該第一方向に直交する第二方向（左右方向）に向けて操作画面を伸長する。また、表示制御部１０３は、その第一方向に直交する方向に向けて伸長する長さを第一方向側に近づくにつれて長くする。表示制御部１０３は、この伸長処理の後に、伸長後の操作画面が表示部６０の表示面６４に収まるように、操作画面に対して縦横比を維持したまま縮小する画像処理を行う。
【００８９】
図１９は、実施形態４の補足２にかかる表示装置において、表示部６０に表示される操作画面の一例を示す図である。本図に示すように、操作画面Ｄ８は、縦の長さがＬ２１であり、上辺の長さがＬ１９であり、下辺の長さがＬ２０であり、上辺の長さＬ１９が下辺の長さＬ２０よりも長い（Ｌ１９＞Ｌ２０）逆台形形状の操作画面になっている。
【００９０】
上記のように操作画面を伸長することにより、ユーザーが操作画面を斜め方向から視認した場合において、操作画面に含まれる文字やその他の画像等の見かけ上の縦横比を本来の画像の縦横比により近いものとすることができる。このため、ユーザーが操作画面を斜め方向から視認することにより操作画面の視認性が低下することをより抑制することができる。
【００９１】
なお、表示制御部１０３は、傾き検知部６５が検知した傾きに応じて、操作画面を左右方向に伸長する長さを変えてもよい。具体的には、表示制御部１０３は、表示面６４の傾きが傾き情報に示される傾きから離れるにつれて、操作画面を左右方向に向けて伸長する長さを長くする。
【００９２】
＜補足３＞
実施形態１の補足１と同様に、表示制御部１０３が、操作画面に含まれるアイコンの周りをアイコンを構成する色とは異なる色（例えば白色）で縁取ってもよい。これにより、操作画面内において特に着目される部分であるアイコンの視認性を高めることができ、操作画面を斜め方向から視認することによるアイコンの視認性の低下をより抑えることができる。
【００９３】
また、表示制御部１０３は、傾き検知部６５が検知した表示面６４の傾きに応じて、アイコンを縁取りする大きさ、および／またはアイコンを縁取りする色を変えてもよい。
【００９４】
＜補足４＞
実施形態１の補足２と同様に、表示制御部１０３が、操作画面に含まれるアイコンのそれぞれの表示濃度を通常の表示形態よりも濃くしてもよい。これにより、操作画面内において特に着目される部分であるアイコンの視認性を高めることができ、操作画面を斜め方向から視認することによるアイコンの視認性の低下をより抑えることができる。また、表示制御部１０３は、傾き検知部６５が検知した表示面６４の傾きに応じて、アイコンの表示濃度を濃くする度合いを変えてもよい。
【００９５】
＜実施形態５＞
図２０は、実施形態５にかかる表示装置の動作の流れを示すフローチャートである。なお、図９のフローチャートで示した処理と同内容の処理については同符号を付して説明を略する。
【００９６】
表示制御部１０３は、補正表示モードにおいて、記憶部４０に記憶されたアイコンを読み出し（ステップＳ４０）、読み出したアイコンを拡大する処理を行う（ステップＳ４１）。具体的には、表示制御部１０３は、読み出したアイコンの縦横比を維持したままアイコンを拡大する。このアイコンを拡大する処理は、アイコンの視認性を向上させるために行うものである。
【００９７】
アイコンの拡大後、表示制御部１０３は、拡大したアイコンが操作画面内において隣り合う他のアイコンと重なるか否かを判定する（ステップＳ４２）。また、表示制御部１０３は、拡大したアイコンが操作画面内に収まるか否かを判定する（ステップＳ４３）。拡大したアイコンが隣り合う他のアイコンと重ならず（ステップＳ４２においてＮＯ）、かつ、拡大したアイコンが操作画面内に収まる（ステップＳ４３においてＹＥＳ）場合、表示制御部１０３は、拡大したアイコンを含む操作画面を表示部６０に表示させる（ステップＳ４４）。
【００９８】
一方、拡大したアイコンが隣り合うアイコンと重なる場合（ステップＳ４２においてＹＥＳ）、または、拡大したアイコンが操作画面内に収まらない場合（ステップＳ４３においてＮＯ）、表示制御部１０３は、拡大したアイコンのうち、操作画面内に含めるアイコンを決定する処理を行う（ステップＳ４５）。
【００９９】
表示制御部１０３は、まず、拡大後のアイコンが隣り合うアイコンと重なることなく操作画面内に収まる数を特定する。そして、表示制御部１０３は、記憶部４０に記憶される優先度に基づき操作画面に含めるアイコンを決定する。図２１は、記憶部４０に記憶される優先度を示す図である。本図に示すように、操作画面に含まれるアイコン毎に優先度が記憶されている。表示制御部１０３は、拡大したアイコンのうち当該優先度が高いアイコンから順に操作画面にアイコンを配置する。そして、表示制御部１０３は、操作画面内に他のアイコンと重なることなくアイコンを配置することができるスペースがなくなるまでアイコンを配置することで、操作画面内に含めるアイコンを決定する。これにより、表示制御部１０３は、操作画面内に含めるアイコンの数を少なくとも既述の特定した数まで減らした操作画面を表示部６０に表示させることができる。
【０１００】
図２２は、表示制御部１０３が行う処理の内容を示す図である。図２２の上段に示すように操作画面Ｄ９内に配置された８つのアイコンａ７１〜ａ７８のそれぞれを拡大した場合、拡大後のアイコンを操作画面内に収めることができなくなる。この場合、表示制御部１０３は、図２２の下段に示すように、８つのアイコンのうち記憶部４０に記憶される優先度が高い３つのアイコンａ８１、ａ８４、ａ８６のみを操作画面Ｄ１０内に含めるようにする。
【０１０１】
以上のように、実施形態５にかかる表示装置によれば、操作画面に含まれるアイコンを拡大することによりアイコンの視認性を高めることができ、ユーザーが操作画面を斜めから視認することによりアイコンの視認性が低下することを抑えることができる。また、アイコンを拡大することにより、拡大したアイコンが隣り合う他のアイコンと重なったり、拡大したアイコンが操作画面内に収まらなくなったりする事態を回避することができる。
【０１０２】
＜補足＞
実施形態５では、表示制御部１０３が操作画面に含まれるアイコンの縦横比を維持したままアイコンを拡大する場合について説明したが、本発明は必ずしもこの場合に限定されない。表示制御部１０３は、図２３に示すように、操作画面Ｄ１１に含まれる各アイコンを実施形態１と同様に第一方向（紙面上方向）に向けて伸長することにより、操作画面Ｄ１２においてアイコンの重なりが生じた場合において、アイコンの数を減らした操作画面Ｄ１３を表示部６０に表示させてもよい。
【０１０３】
また、表示制御部１０３は、実施形態３と同様に、第一方向だけでなく、当該第一方向に直交する第二方向に向けて操作画面に含まれるアイコンを伸長してもよい。さらに、表示制御部１０３は、実施形態２と同様に、傾き検知部６５が検知した表示面６４の傾きに応じてアイコンを伸長する長さを変えてもよい。
【０１０４】
なお、本発明は、上記の実施の形態の構成に限られず種々の変形が可能である。
【０１０５】
＜変形例１＞
上記の各実施形態では、各実施形態にかかる表示装置が画像形成装置に設けられた表示パネルである場合を説明したが、本発明は必ずしもこの場合に限定されない。各実施形態にかかる表示装置は、スマートフォン等の携帯端末に設けられる表示装置やＰＣ（Personal Computer）、テレビ等に設けられる表示装置等に適用することができる。
【０１０６】
例えば、各実施形態にかかる表示装置を携帯端末に適用した場合、携帯端末に設けられたカメラ等の視線検知部によりユーザーの視線の向きを検知してもよい。そして、制御部１０１（角度算出部）は、当該視線検知部が検知した向きと各実施形態で説明した傾き検知部６５が検知した傾きとを用いて、ユーザーの視線と表示部６０の表示面６４とが交わる角度を算出する。表示制御部１０３は、制御部１０１が算出した角度が９０度から離れるにつれて、操作画面に含まれるアイコンを伸長する長さを長くする。こうすることで、記憶部４０に記憶される傾き情報を用いなくとも、ユーザーが操作画面を視認する角度に応じて操作画面に含まれるアイコンを伸長する長さを変えることができる。
【０１０７】
＜変形例２＞
上記の各実施形態では、操作画面に含まれるアイコンが略正方形状である場合を説明したが本発明は必ずしもこの場合に限定されない。操作画面に含まれるアイコンの形状は特に限定されるものではなく、例えばアイコンが略円形状であってもよい。
【０１０８】
＜その他の変形例＞
また、上記の実施の形態で説明した表示制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【０１０９】
また、上記の実施形態および各変形例を組み合わせてもよい。
【符号の説明】
【０１１０】
１ 画像形成装置
１０ 画像読取部
２０ 画像形成部
３０ 給紙部
４０ 記憶部
５０ 通信部
６０ 表示部
６１ タッチパネル部
６２ 回動機構
６３ 回動軸
６４ 表示面
６５ 傾き検知部
１００ 制御ユニット
１０１ 制御部
１０２ 受付部
１０３ 表示制御部
【図１】
0006406176.tif 000002
【図２】
0006406176.tif 000003
【図３】
0006406176.tif 000004
【図４】
0006406176.tif 000005
【図５】
0006406176.tif 000006
【図６】
0006406176.tif 000007
【図７】
0006406176.tif 000008
【図８】
0006406176.tif 000009
【図９】
0006406176.tif 000010
【図１０】
0006406176.tif 000011
【図１１】
0006406176.tif 000012
【図１２】
0006406176.tif 000013
【図１３】
0006406176.tif 000014
【図１４】
0006406176.tif 000015
【図１５】
0006406176.tif 000016
【図１６】
0006406176.tif 000017
【図１７】
0006406176.tif 000018
【図１８】
0006406176.tif 000019
【図１９】
0006406176.tif 000020
【図２０】
0006406176.tif 000021
【図２１】
0006406176.tif 000022
【図２２】
0006406176.tif 000023
【図２３】
0006406176.tif 000024